(57)【要約】【課題】冷蔵庫ドアの開放時に使用者の手首の変形を減らすことによって使用者の便宜性が向上した冷蔵庫を提供する。【解決手段】本発明は、本体キャビネットと、前記本体キャビネットに設置されたドアと、前記ドアに設けられた取っ手部材とを有する冷蔵庫において、前記取っ手部材は、使用者が把持して回転させる取っ手部と；前記取っ手部の両側に設けられ、前記取っ手部を前記ドアに対して支持する複数の支持部と；前記複数の支持部のうちの少なくとも一つに設けられ、前記取っ手部を復元可能に回動させる回動部とを含むことを特徴とする。【選択図】図３
2006162244.tif 000002
【特許請求の範囲】
【請求項１】
本体キャビネットと、前記本体キャビネットに設置されたドアと、前記ドアに設けられた取っ手部材とを有する冷蔵庫において、
前記取っ手部材は、
使用者が把持して回転させる取っ手部と；
前記取っ手部の両側に設けられ、前記取っ手部を前記ドアに対して支持する複数の支持部と；
前記複数の支持部のうちの少なくとも一つに設けられ、前記取っ手部を復元可能に回動させる回動部とを含むことを特徴とする冷蔵庫。
【請求項２】
前記回動部は、
前記取っ手部の両端に突出設置される回動軸の中で少なくとも一つの回動軸と；
前記回動軸及び前記支持部に結合され、前記取っ手部の回動に対して復元力を提供する弾性部材を含むことを特徴とする、請求項１に記載の冷蔵庫。
【請求項３】
前記支持部は、前記ドアに結合される支持バーと、前記支持バーに結合され前記回動部が収容される連結部とを含むことを特徴とする、請求項２に記載の冷蔵庫。
【請求項４】
前記連結部は、前記ドアに結合されるように設置されることを特徴とする、請求項３に記載の冷蔵庫。
【請求項５】
前記回動軸は前記取っ手部の中心軸線と同一軸線上に位置することを特徴とする、請求項２に記載の冷蔵庫。
【請求項６】
前記回動部は、
前記取っ手部と結合されるように前記支持部から突出した回動軸と；
前記回動軸及び前記取っ手部に結合され、前記取っ手部の回動に対して復元力を提供する弾性部材を含むことを特徴とする、請求項１に記載の冷蔵庫。
【請求項７】
前記回動部は、前記回動軸に結合され、前記取っ手部が復元される時に衝撃を緩和させるダンパーをさらに含むことを特徴とする、請求項２または請求項６に記載の冷蔵庫。
【請求項８】
前記回動部は、
前記取っ手部と一体に回転するピニオンと；
前記ピニオンと噛み合って前記ピニオンの回動によってスライディング移動するラックと；
前記ラックと結合されて前記取っ手部の回動に対して復元力を提供する弾性部材とを含むことを特徴とする、請求項１に記載の冷蔵庫。
【請求項９】
前記回動部は、
前記取っ手部と一体に回転するカム部と；
前記カム部の回動によってスライディング移動するカムスライド部と；
前記カムスライド部と結合されて前記取っ手部の回動に対して復元力を提供する弾性部材とを含むことを特徴とする、請求項１に記載の冷蔵庫。
【請求項１０】
本体キャビネットと、前記本体キャビネットに設置されたドアと、前記ドアに設けられた取っ手部材とを有する冷蔵庫において、
前記取っ手部材は、
使用者が把持して回転させるように両端に回動軸が設けられた取っ手部と；
前記取っ手部の両側に設けられ、前記取っ手部を前記ドアに対して支持する複数の支持部と；
前記複数の支持部のうちの少なくとも一つとこれに対応する前記回動軸との間に設けられ、前記取っ手部の回動に対する復元力を提供する弾性部材とを含むことを特徴とする冷蔵庫。
【請求項１１】
前記支持部は、前記ドアの前面に結合される支持バーと、前記支持バーに設けられ前記取っ手部と結合される連結部とを含むことを特徴とする、請求項１０に記載の冷蔵庫。
【請求項１２】
前記取っ手部及び前記支持部は前記ドアの前面に長さ方向に設置され、
前記支持部には前記回動軸及び前記弾性部材が収容される凹部が設けられ、
前記回動軸は前記取っ手部の中心軸線と同一な軸線を有することを特徴とする、請求項１１に記載の冷蔵庫。
【請求項１３】
前記回動軸の一端は前記連結部に収容されることを特徴とする、請求項１２に記載の冷蔵庫。
【請求項１４】
前記弾性部材は、一端が取っ手部に結合され、他端が前記連結部に結合されるねじコイルばねを含んでなることを特徴とする、請求項１３に記載の冷蔵庫。
【発明の詳細な説明】
【技術分野】
【０００１】
本発明は冷蔵庫に係わり、より詳しくは、ドア開放時に使用者の手首の変形を減らすことができる冷蔵庫に関する。
【背景技術】
【０００２】
下記特許文献１に開示された従来の冷蔵庫はサイドバイサイド（ＳＩＤＥ  ＢＹ  ＳＩＤＥ）タイプであって、中間隔壁によって冷蔵室及び冷凍室が左右に区画された本体キャビネットと、本体キャビネットに設置されて冷蔵室及び冷凍室を各々開閉する冷蔵室ドア及び冷凍室ドアを含む。そして、冷蔵室ドア及び冷凍室ドアの各前面には各ドアを把持するための取っ手部材が装着されている。
【０００３】
このような構成によって、使用者は取っ手部材を握ってドアを前方に引きドアを開放することができる。
【特許文献１】韓国特許出願第１９９７−００８２４７３号
【発明の開示】
【発明が解決しようとする課題】
【０００４】
しかし、このような従来の冷蔵庫では、各ドアに装着された取っ手部材がドアの前面に固定されているため、使用者が各ドアを開放する時に固定された取っ手によって手首が折れるようになり手首の変形が発生するので、不便であるという問題点がある。
【０００５】
したがって、本発明の目的は、ドアの開放時に使用者の手首が折れず手首の変形を減らすことによって便宜性が向上した冷蔵庫を提供することにある。
【課題を解決するための手段】
【０００６】
前記目的は、本発明によって、本体キャビネットと、前記本体キャビネットに設置されたドアと、前記ドアに設けられた取っ手部材とを有する冷蔵庫において、前記取っ手部材は、使用者が把持して回転させる取っ手部と；前記取っ手部の両側に設けられ、前記取っ手部を前記ドアに対して支持する複数の支持部と；前記複数の支持部のうちの少なくとも一つに設けられ、前記取っ手部を復元可能に回動させる回動部とを含む冷蔵庫によって達成される。
【０００７】
ここで、前記回動部は、前記取っ手部の両端に突出設置される回動軸の中で少なくとも一つの回動軸と；前記回動軸及び前記支持部に結合され、前記取っ手部の回動に対して復元力を提供する弾性部材とを含むのが好ましい。
【０００８】
前記支持部は、前記ドアに結合される支持バーと、前記支持バーに結合され前記回動部が収容される連結部とを含むのが好ましい。
【０００９】
前記連結部は前記ドアに結合されるように設置されるのが好ましい。
【００１０】
前記回動軸は前記取っ手部の中心軸線と同一軸線上に位置するのが好ましい。
【００１１】
ここで、前記回動部は、前記取っ手部と結合されるように前記支持部から突出した回動軸と；前記回動軸及び前記取っ手部に結合され、前記取っ手部の回動に対して復元力を提供する弾性部材とを含むこともできる。
【００１２】
前記回動部は、前記回動軸に結合され、前記取っ手部が復元される時に衝撃を緩和させるダンパーをさらに含むのが好ましい。
【００１３】
前記回動部は、前記取っ手部と一体に回転するピニオンと；前記ピニオンと噛み合って前記ピニオンの回動によってスライディング移動するラックと；前記ラックと結合され前記取っ手部の回動に対して復元力を提供する弾性部材とを含むのが好ましい。
【００１４】
前記回動部は前記取っ手部と一体に回転するカム部と；前記カム部の回動によってスライディング移動するカムスライド部と；前記カムスライドと結合されて前記取っ手部の回動に対して復元力を提供する弾性部材とを含むのが好ましい。
【００１５】
また、前記目的は、本発明によって、本体キャビネットと、前記本体キャビネットに設置されたドアと、前記ドアに設けられた取っ手部材とを有する冷蔵庫において、前記取っ手部材は、使用者が把持して回転させるように両端に回動軸が設けられた取っ手部と；前記取っ手部の両側に設けられ、前記取っ手部を前記ドアに対して支持する複数の支持部と；前記複数の支持部のうちの少なくとも一つとこれに対応する前記回動軸との間に設けられ、前記取っ手部の回動に対する復元力を提供する弾性部材とを含む冷蔵庫によって達成される。
【００１６】
前記取っ手部及び前記支持部は前記ドアの前面に長さ方向に設置され、前記支持部には前記回動軸が収容される凹部が設けられ、前記回動軸は前記取っ手部の中心軸線と同一な軸線を有するのが好ましい。
【００１７】
前記支持部は、前記ドアの前面に結合される支持バーと、前記支持バーに設けられ前記取っ手部と結合される連結部とを含むのが好ましい。
【００１８】
前記回動軸の一端は前記連結部に収容されるのが好ましい。
【００１９】
前記弾性部材は一端が取っ手部に結合され他端が前記連結部に結合ねじコイルばねを含んでなるのが好ましい。
【発明の効果】
【００２０】
本発明によれば、冷蔵庫ドアの開放時に使用者の手首の変形を減らすことによって使用者の便宜性が向上した冷蔵庫を提供することができる。
【発明を実施するための最良の形態】
【００２１】
以下、添付図面を参照して、サイドバイサイド（ＳＩＤＥ  ＢＹ  ＳＩＤＥ）タイプの冷蔵庫を第１実施形態として本発明について詳細に説明する。
【００２２】
説明に先立って、いろいろな実施形態において、同一な構成を有する構成要素については同一な符号を使用して代表的に第１実施形態で説明し、その他の実施形態では第１実施形態と異なる構成についてのみ説明する。
【００２３】
図１乃至図４に示されているように、本発明の第１実施形態による冷蔵庫１は、隔壁（図示せず）によって冷凍室（図示せず）及び冷蔵室（図示せず）が左右に区画された本体キャビネット１０と、本体キャビネット１０の前面に回動可能に設置され冷蔵室及び冷凍室を各々開閉する冷蔵室ドア１１及び冷凍室ドア１３を含む。
【００２４】
各ドア１３、１１の前面には各ドア１３、１１を把持する取っ手部材１５、２０が設けられている。ここで、取っ手部材１５、２０は冷凍室ドア１３及び冷蔵室ドア１１に各々設けられているが、説明の便宜上、冷蔵室ドア１１の取っ手部材２０のみを説明する。
【００２５】
冷蔵室ドア１１の右側上下部にはヒンジ部１２が設けられ、左側前面部には取っ手部材２０が長さ方向に設けられている。したがって、使用者は取っ手部材２０を握って冷蔵室ドア１１をヒンジ部１２を中心に回動させて開閉することができる。
【００２６】
取っ手部材２０は、使用者が把持して回転させる取っ手部２１と、取っ手部２１の両側に設けられて取っ手部２１を冷蔵室ドア１１に対して支持する複数の支持部２２、２７と、複数の支持部２２、２７のうちの少なくとも一つに設けられて取っ手部２１を復元可能に回動させる回動部３０とを含む。
【００２７】
取っ手部２１及び支持部２２、２７は冷蔵室ドア１１の前面に長さ方向に設置され、取っ手部２１の両端には回動軸３１ａ、３１ｂが突出形成されている。これによって、取っ手部２１は回動軸３１ａ、３１ｂを中心に支持部２２、２７に対して回動できる。
【００２８】
回動軸３１ａ、３１ｂは取っ手部２１の中心軸線と同一軸線上に位置するのが好ましい。これによって、取っ手部２１が回動軸３１ａ、３１ｂを中心に回動するための回動力が支持部２２、２７に均等に分散されるので、支持部２２、２７の一領域にのみ応力が集中することを防止することができる。
【００２９】
支持部は、取っ手部２１の上端を支持する第１支持部２２と、取っ手部２１の下端を支持する第２支持部２７とを含む。
【００３０】
第１支持部２２は、冷蔵室ドア１１の上部前面に結合される支持バー２４と、支持バー２４と垂直方向に延長されて取っ手部２１の上端に結合される連結部２５とを含む。
【００３１】
第２支持部２７はその構成が第１支持部２２と同一であり、冷蔵室ドア１１の下部前面に結合される支持バー２６と、支持バー２６と垂直方向に延長されて取っ手部２１の下端に結合される連結部２３とを含む。
【００３２】
ここで、連結部２３、２５は冷蔵室ドア１１に結合されるように設置されるのが好ましい。これによって、連結部２３、２５が冷蔵室ドア１１に支持されることにより、取っ手部２１の回動によって発生する応力が冷蔵室ドア１１に分散されるので、連結部２３、２５が損傷されることを防止することができる。
【００３３】
回動部３０は第１支持部２２および第２支持部２７の全てに設けられることができるが、本発明の実施形態では第１支持部２２に設けられた場合のみを説明する。
【００３４】
回動部３０は第１支持部２２の連結部２５に収容可能に設けられ、取っ手部２１に設けられた回動軸３１ａと、回動軸３１ａ及び第１支持部２２に結合されて取っ手部２１の回動に対する復元力を提供する弾性部材３２とを含む。この時、第１支持部２２の連結部２５には回動軸３１ａ及び弾性部材３２が収容される凹部２５ａが設けられており、回動軸３１ａは取っ手部２１の中心軸線と同一な軸線を有する。
【００３５】
ここで、回動部３０の回動軸３１ａは取っ手部２１に突出設置されているが、第１支持部２２に突出設置されることができることはもちろんである。このような場合、弾性部材３２は回動軸３１ａ及び取っ手部２１に結合されるのが好ましい。
【００３６】
弾性部材３２は一端が取っ手部２１の上端に結合され他端が第１支持部２２の連結部２５に結合されるねじれコイルスプリングで設けられることが好ましいが、ゴムなどのような弾性材質で設けられることができることはもちろんである。これによって、使用者が冷蔵室ドア１１を開放するために取っ手部２１を前方に引いてから回動させると、この時ねじれコイルスプリング３２は取っ手部２１に対して復元力が発生し、使用者が取っ手部２１から力を除去すると、ねじれコイルスプリング３２の復元力によって取っ手部２１は回動反対方向に回動して元位置に戻ることができる。
【００３７】
ここで、回動部３０は回動軸３１ａと相互作用して取っ手部２１が復元される時に衝撃を緩和させるダンパー３３をさらに含むのが好ましい。この時、弾性部材３２は回動軸３１ａ及びダンパー３３と公知の方式で相互作用する。
【００３８】
ダンパー３３は回動軸３１ａの他端に結合されて連結部２５に収容され、回動軸３１ａの回転力によって作動するオイルダンパーで設けられる。これによって、ダンパー３３は取っ手部２１がねじれコイルスプリング３２の復元力によって復元される時に回動力を減殺させてスムースに元位置に回動可能にして使用上の便宜性を向上させることができる。
【００３９】
このような構成によって、本発明の第１実施形態による冷蔵庫１の取っ手部２１が回動する過程を具体的に見てみると次の通りである。
【００４０】
まず、使用者が冷蔵室ドア１１を開放するために取っ手部２１を握って前方に引いてから左側方向に回動させると、回動軸３１ａ、３１ｂは取っ手部２１の回動方向と同一に回動する。この時、ねじれコイルスプリング３２は取っ手部２１の回動反対方向に復元力が発生する。その後、使用者が取っ手部２１から手を放すと、取っ手部２１はねじれコイルスプリング３２の復元力によって元位置に戻る。この時、ダンパー３３は回動軸３１ａと連動して取っ手部２１がスムースに回動するように作動する。これによって、使用者が冷蔵室ドア１１を開放する時に取っ手部２１が回動可能なので使用者の手首が折れ変形が起こることを減らすことができる。
【００４１】
本発明の第２実施形態による冷蔵庫は第１実施形態の冷蔵庫の回動部３０と構成に差がある。図５に示されているように、本発明の第２実施形態による冷蔵庫の回動部２３０は取っ手部２１と一体に回転するピニオン２３１と、第１支持部２２に設けられピニオン２３１と噛み合ってピニオン２３１の回動によって弾性的にスライディング移動するラック２３２とを含む。
【００４２】
ピニオン２３１はのこぎり歯形状に設けられ、回動軸３１ａと結合されて取っ手部２１と一体に回動する。
【００４３】
ラック２３２は第１支持部２２の連結部２５に収容され、ピニオン２３１と噛み合うように設けられる。したがって、使用者が取っ手部２１を回動させると、ピニオン２３１は取っ手部２１の回動方向に回動し、ラック２３２はピニオン２３１の回転運動が直線運動に変換されてスライディング移動する。
【００４４】
また、回動部２３０は第１支持部２２に設けられてラック２３２に対して復元力を提供する弾性部材２３３をさらに含むのが好ましい。ここで、弾性部材２３３はスプリングで設けられることが好ましいが、ゴムなどのような弾性材質で設けられることができることはもちろんである。
【００４５】
このような構成によって、本発明の第２実施形態による冷蔵庫１の取っ手部２１が回動する過程を図６ａ及び図６ｂを参照して具体的に見てみると次の通りである。
【００４６】
まず、使用者が冷蔵室ドア１１を開放するために取っ手部２１を前方に引いてから回動させると、取っ手部２１の回動と一体にピニオン２３１は回転し、ピニオン２３１と噛み合ったラック２３２は直線移動しながらスプリング２３３を圧縮する（図６ａ参照）。その後、使用者が取っ手部２１から力を除去すると、スプリング２３３の復元力によってラック２３２及びピニオン２３１が元位置に移動すると共に取っ手部２１が回動されて元位置に戻ることができる（図６ｂ参照）。
【００４７】
本発明の第３実施形態による冷蔵庫は第１実施形態の冷蔵庫の回動部３０と構成に差がある。図７に示されているように、本発明の第３実施形態による冷蔵庫は取っ手部２１と一体に回転するカム部３３１と、第１支持部２２に設けられカム部３３１の回動によって弾性的にスライディング移動するカムスライド部３３２とを含む。
【００４８】
カム部３３１は回動軸３１ａと結合されて取っ手部２１と一体に回動する。
【００４９】
カムスライド部３３２は第１支持部２２の連結部２５に収容され、取っ手部２１の回動によるカム部３３１の回転によってスライディング移動する。つまり、使用者が取っ手部２１を回動させると、カム部３３１は取っ手部２１の回動方向に回動し、カムスライド部３３２はカム部３３１の回転運動が直線運動に変換されてスライディング移動する。
【００５０】
また、回動部３３０は第１支持部２２に設けられカムスライド部３３２に対して復元力を提供する弾性部材３３３をさらに含むのが好ましい。ここで、弾性部材３３３はスプリングで設けられることが好ましいが、ゴムなどのような弾性材質で設けられることができることはもちろんである。
【００５１】
このような構成によって、本発明の第３実施形態による冷蔵庫１の取っ手部２１が回動される過程を図８ａ及び図８ｂを参照して具体的に見てみると次の通りである。
【００５２】
まず、使用者が冷蔵室ドア１１を開放するために取っ手部２１を前方に引いてから回動させると、取っ手部２１の回動と一体にカム部３３１は回転し、カム部３３１と接触したカムスライド部３３２は直線移動しながらスプリング３３３を圧縮する（図８ａ参照）。その後、使用者が取っ手部２１から力を除去すると、スプリング３３３の復元力によってカム部３３１及びカムスライド部３３２が元位置に移動しながら取っ手部２１が回動されて元位置に戻ることができる（図８ｂ参照）。
【００５３】
前述した実施形態では、第１実施形態にのみダンパーが設けられたが、第２実施形態または第３実施形態にもダンパーが設けられることができることはもちろんである。
【００５４】
前述した実施形態では、ヒンジ部を中心に本体キャビネットに対して回動する回動式ドアに適用したが、引出し式ドアに適用できることはもちろんである。
【００５５】
また、請求項６に記載されるように支持部から突出部が形成されるなど、多様な変更実施例が可能だ。
【図面の簡単な説明】
【００５６】
【図１】本発明の実施形態による冷蔵庫を示した前方斜視図である。
【図２】本発明の実施形態による冷蔵庫を示した前面図である。
【図３】本発明の実施形態による冷蔵庫を示した側面図である。
【図４】本発明の第１実施形態による冷蔵庫における図２のＩＶ−ＩＶ線による断面図である。
【図５】本発明の第２実施形態による冷蔵庫における図２のＶ−Ｖ線による断面図である。
【図６ａ】本発明の第２実施形態による冷蔵庫の取っ手部が回動した後の状態を示した図３のＶＩ−ＶＩによる平面図である。
【図６ｂ】図６ａの取っ手部が元位置に回動した状態を示した平面図である。
【図７】本発明の第３実施形態による冷蔵庫における図２のＶＩＩ−ＶＩＩ線の断面図である。
【図８ａ】本発明の第３実施形態による冷蔵庫の取っ手部が回動した後の状態を示した図３のＶＩＩＩ−ＶＩＩＩによる平面図である。
【図８ｂ】図８ａの取っ手部が元位置に回動した状態を示した平面図である。
【符号の説明】
【００５７】
１  冷蔵庫
１０  本体キャビネット
１１  冷蔵室ドア
１２  ヒンジ部
１３  冷凍室ドア
１５、２０  取っ手部材
２１  取っ手部
２２、２７  支持部
２３、２５  連結部
２４、２６  支持バー
２５ａ  凹部
３０、２３０  回動部
３１ａ、３１ｂ  回動軸
３２、２３３、３３３  弾性部材
３３  ダンパー
２３１  ピニオン
２３２  ラック
３３１  カム部
３３２  カムスライド部
【図１】
2006162244.tif 000003
【図２】
2006162244.tif 000004
【図３】
2006162244.tif 000005
【図４】
2006162244.tif 000006
【図５】
2006162244.tif 000007
【図６ａ】
2006162244.tif 000008
【図６ｂ】
2006162244.tif 000009
【図７】
2006162244.tif 000010
【図８ａ】
2006162244.tif 000011
【図８ｂ】
2006162244.tif 000012